(57)【特許請求の範囲】
【請求項１】
走査電子顕微鏡による走査像より、試料上の所定のパターンの寸法を測定するパターン測定方法において、
前記所定のパターンに対応する基準パターンと予め指定された測定点とを取得するステップと、
前記基準パターンの外形線のうち、前記測定点の両側の直線状の２本の線分を含むように測定領域を設定するステップと、
前記所定のパターンの走査像に、前記測定領域を重ね合わせ、前記測定領域にある、前記所定のパターンの走査像の２本の輪郭線の間の寸法を測定するステップと、
を含み、
前記測定領域を設定するステップは、
前記２本の線分に接続される角部の近傍を含まないように前記測定領域を設定し、
前記測定領域を設定するステップは、
前記基準パターンの外形線のうち、前記測定点の両側の且つ前記測定点に最も近い直線状の２本の線分を選択するステップと、
前記選択した２本の線分に対応する前記所定のパターンの走査像の２本の輪郭線を検出するステップと、
前記基準パターンの２本の線分とそれに対応する前記所定のパターンの走査像の２本の輪郭線の間の距離を算出するステップと、
前記距離又は前記距離の変化量が所定の閾値より大きい領域を検出するステップと、
前記検出した領域に含まれる線分を、前記基準パターンの２本の線分より削除して短縮化するステップと、
前記短縮化した２本の線分の各々の両端の端点のうち前記測定点に最も近い２つの端点を選択するステップと、
前記選択した２つの端点に基づいて前記測定領域の２辺を設定するステップと、を含む
ことを特徴とするパターン測定方法。
【請求項２】
請求項１記載のパターン測定方法において、前記試料上の所定のパターンは、半導体製造で使用されるフォトマスクのパターンであり、前記基準パターンは、前記フォトマスクのパターンのCADデータであることを特徴とするパターン測定方法。
【請求項３】
請求項２記載のパターン測定方法において、前記フォトマスクのパターンのCADデータは、OPC処理されたCADデータであることを特徴とするパターン測定方法。
【請求項４】
請求項１記載のパターン測定方法において、前記測定領域は、前記２本の線分の各々に設けられていることを特徴とするパターン測定方法。
【請求項５】
請求項１記載のパターン測定方法において、前記測定領域は、前記２本の線分を含むように１つだけ設けられていることを特徴とするパターン測定方法。
【発明の詳細な説明】
【技術分野】
【０００１】
本発明は、パターン測定方法、パターン測定装置に関し、特に走査電子顕微鏡によって取得された走査像よりパターンを測定する方法、装置に関する。
【背景技術】
【０００２】
半導体の製造工程では、一般に、半導体集積回路上の回路パターンの検査が実行されている。回路パターンの検査方法の１つに、回路パターンの設計データであるCAD(Computer Aided Design)データを基準パターンとして用いる方法がある。この方法では、実際に形成されたパターンの走査像をCADデータと比較することによって、回路パターンの評価を行う。
【０００３】
特許文献１及び特許文献２には、検査対象のパターン像と基準パターンのそれぞれについてエッジ検出を行い、検出されたエッジを比較することによって、設計データに対するパターンの変形量を検出することが開示されている。また、特許文献３には、設計パターンと実際のパターン像との間の位置合わせに関する基準位置を設定し、パターン変形量をより詳細に検出する方法が開示されている。
【０００４】
近年、半導体集積回路のパターンの微細化に伴って、フォトリソグラフィ技術における光の近接効果が問題となっている。光の近接効果は、パターンを露光し、転写する場合、実際に形成されたパターンの形状が、マスクパターンの形状とは異なる現象である。これはパターン幅が微小化すると、光の回折効果の影響が現れるからである。
【０００５】
光の近接効果を排除し、所望のパターンを得るために、マスクパターンに補正を施すことが行われている。これは、光の近接効果補正（OPC）と称される。OPC技術は、マスクパターンを透過しウエハ上に縮小投影された像の光強度分布を計算し、又は、ルール化し、マスクパターンデータを変更する。それによって、ウエハ上にて設計データ通りの所望のパターンを得ることができる。一般にOPC技術により変更されたマスクパターンをOPCパターンと呼び、マスク製造工程ではこのOPCパターンの寸法を測定する場合が多い。
【先行技術文献】
【特許文献】
【０００６】
【特許文献１】特開２００１−３３８３０４号公報
【特許文献２】特開２００２−３１５２５号公報
【特許文献３】特開２００６−２３４５８８号公報
【発明の概要】
【発明が解決しようとする課題】
【０００７】
フォトマスク製造工程では、フォトマスクのパターンの寸法を測定する。フォトマスクのパターンの寸法を測定する場合、測定領域を設定する必要がある。従来、測定領域を適切に設定することは困難であった。
【０００８】
更に、フォトマスク製造工程では、フォトマスクのOPCパターンの寸法を測定する必要がある。この場合にも、測定領域を適切に設定することは困難である。その理由は、OPCパターンの形状が複雑な場合には、OPCパターンより所望の測定領域を選択するのが困難だからである。
【０００９】
本発明の目的は、フォトマスクのパターン又はフォトマスクのOPCパターンの寸法を容易に且つ正確に測定することができるパターン測定方法及び装置を提供することにある。
【課題を解決するための手段】
【００１０】
本発明のパターン測定方法は、所定のパターンに対応する基準パターンと、予め指定された測定点と、を取得するステップと、基準パターンの外形線のうち、測定点の両側の直線状の２本の線分を含むように測定領域を設定するステップと、所定のパターンの走査像に、測定領域を重ね合わせ、測定領域にある、所定のパターンの走査像の２本の輪郭線の間の寸法を測定するステップと、を含む。
【００１１】
本発明によると、測定領域は、２本の線分に接続される角部の近傍を含まないように設定する。
【発明の効果】
【００１２】
本発明によると、フォトマスクのパターン又はフォトマスクのOPCパターンの寸法を容易に且つ正確に測定することができる。
【図面の簡単な説明】
【００１３】
【図１】本発明による走査電子顕微鏡の概略を示す図である。
【図２】本発明によるパターンの測定方法の概略を説明する図である。
【図３】走査電子顕微鏡により得られたフォトマスクパターンの走査像の例を示す図である。
【図４】フォトマスクのCADデータの例を示す図である。
【図５】フォトマスクのCADデータの例を示す図である。
【図６】フォトマスクパターンの走査像の上にフォトマスクのCADデータを重ねて表示した例を示す図である。
【図７】本発明を説明するためにフォトマスクパターンの走査像の上にフォトマスクのCADデータを重ねて表示した例を示す図である。
【図８】本発明によるパターン測定方法の第１の例のうち、特に、測定領域を設定する処理を説明する図である。
【図９】本発明によるパターン測定方法の第２の例を説明する図である。
【図１０】パターンの右側の輪郭線におけるこの差分の計算結果を示す図である。
【図１１】差分値の変動を計算した結果を示す図である。
【図１２】CADデータと実際に取得したフォトマスクのパターンの走査像を重ねて表示した例を示す図である。
【図１３】本発明によるパターン測定方法の第３の例を説明する図である。
【図１４】OPC処理されたフォトマスクのパターンの上に測定領域を設定した状態を示す図である。
【発明を実施するための形態】
【００１４】
図１を参照して、本発明による走査電子顕微鏡の概略を説明する。本発明の走査電子顕微鏡は、半導体集積回路製造用ウエハに形成された、又は、フォトマスクに形成されたパターンの形状、及び、寸法を測定する測長機能付きであり、「測長ＳＥＭ」と呼ばれる場合もある。
【００１５】
本例の走査電子顕微鏡は、電子源（電子銃）１、レンズ系３、２次電子検出系６、及び、X-Y-Zステージ８を有する。試料４は、X-Y-Zステージ８により３次元方向又は、X-Yの２次元方向に移動可能である。本例の走査電子顕微鏡は、更に、制御系７、画像表示装置９、及び、設計データ管理部１０を有する。制御系７は、画像演算制御の機能を有するが、電子源１、レンズ系３、２次電子検出系６、X-Y-Zステージ８、及び、画像表示装置９の制御も行う。
【００１６】
電子源（電子銃）１からの電子ビーム２は、レンズ系３によって集束され、図示しない走査コイルによって、２次元的に（X-Y方向）に走査され、試料４上に照射される。試料４の表面からの２次電子５は２次電子検出系６により検出され、画像データとして制御系７（制御プロセッサ）に供給される。画像データは、制御系７内の信号増幅器によって増幅され、画像メモリに転送され、画像表示装置９にて試料像として表示される。
【００１７】
２次電子検出器は、２次電子や反射電子を検出するものであっても、光やX線を検出するものであってもよい。制御系７には、図示しない入力装置が設けられ、画像の取り込み条件（走査速度，画像積算枚数）や視野補正方式などの指定、および画像の出力や保存などを指定することができる。
【００１８】
制御系７、又は、別に設置されたコンピュータは、画像メモリのメモリ位置に対応したアドレス信号を生成し、それを、アナログ信号に変換し、図示しない、走査コイルに供給する。こうして、画像メモリのアドレスと電子ビームを走査するための偏向信号のアドレスが対応しているので、画像メモリには走査コイルによる電子線の偏向走査領域の２次元像が記録される。
【００１９】
例えば、画像メモリが５１２x５１２画素（Pixel）の場合、X方向のアドレス信号は、０から５１２を繰り返すデジタル信号であり、Y方向のアドレス信号は、X方向のアドレス信号が０から５１２に到達したときにプラス１される０から５１２を繰り返すデジタル信号である。このデジタル信号を、アナログ信号に変換して、走査コイルに供給する。
【００２０】
画像メモリに記録された画像信号は、読み出しクロックに同期して読み出しアドレス生成回路によって、時系列に順次読み出すことができる。こうして、アドレスに対応して読み出された画像信号はアナログ変換され、画像表示装置９の輝度変調信号となる。
【００２１】
設計データ管理部１０は、図示しない入力装置によって入力された、半導体ウエハ、又は、フォトマスクのパターンの設計データを変換し、レシピを作成する機能を有する。レシピは、走査電子顕微鏡の制御に必要なデータであり、半導体ウエハ、又は、フォトマスク上の複数点を観察する際の条件（測定点，走査電子顕微鏡の光学条件等）を記載したものである。走査電子顕微鏡は、レシピの内容に従って、測定や観察を行う。設計データ管理部１０は、制御系７から伝達された信号に基づいて、レシピを書き換える機能を有する。図１の走査電子顕微鏡では、設計データ管理部１０は、制御系７と別体の構成部として、設けられている。しかしながら、設計データ管理部１０は、制御系７と一体的に、又は、その構成部として、設けられてよい。
【００２２】
本例の走査電子顕微鏡は、２次電子検出系６によって検出した２次電子又は反射電子等から、ラインプロファイルを形成する機能を備えている。ラインプロファイルは、１次電子線を、１次元的に又は２次元的に走査したとき、２次電子検出系６によって検出した電子の検出量、又は、試料像の輝度情報等に基づいて形成される。ラインプロファイルは、半導体ウエハ上に形成されたパターン、又は、フォトマスク上パターンの寸法測定等に用いられる。
【００２３】
図１の走査電子顕微鏡では、制御系７は、走査電子顕微鏡と一体的に、又は、その構成部として、設けられる。しかしながら、制御系７は、走査電子顕微鏡鏡体とは別に設けられた制御プロセッサとして構成されてもよい。この場合、制御プロセッサと走査電子顕微鏡の間に、伝達媒体と、この伝達媒体を経由して伝達される信号を入出力する入出力端子が設けられる。２次信号検出器によって検出された検出信号は、伝送媒体を介して、制御プロセッサに伝達される。また、制御プロセッサから走査電子顕微鏡に、伝送媒体を介して、レンズや偏向器等に信号が伝達される。
【００２４】
また、以下に説明する処理を行うプログラムを記憶媒体に登録しておき、制御プロセッサから走査電子顕微鏡に必要な命令信号を供給して、このプログラムを実行するように構成してもよい。以下に説明する処理は、画像プロセッサを備えた走査電子顕微鏡に装填可能なプログラム、又は、プログラムプロダクトによって実現される。尚、ここでは、走査電子顕微鏡について説明しているが、本発明は、荷電粒子線装置にも適用可能である。
【００２５】
本例の走査電子顕微鏡は、半導体集積回路製造用ウエハ又はフォトマスクを、試料４とする。以下の説明では、試料４は、フォトリソグラフィによって形成された半導体集積回路製造用フォトマスクとする。フォトマスクを製造するには、先ず、石英基板上に薄膜クロム又はMoSiからなる遮光膜を形成し、この遮光膜上にレジストを塗布する。次に、電子ビーム描画装置によって、CADデータに基づいたレジストパターンを形成する。次に、現像、及び、エッチングにより、基板上に遮光膜パターンを形成する。寸法測定は、主としてこの遮光膜パターンに対して行われるが、現像後のレジストパターンにて実施されることもある。
【００２６】
フォトマスクパターンの走査像より、フォトマスクパターンの検査を行う。検査には、フォトマスクの走査像とフォトマスクの基準パターンを比較する。フォトマスクの基準パターンとして、フォトマスクパターンの生成に用いたCADデータを用いてよい。ウエハのパターンとマスクパターンの間の変換倍率が４倍であると仮定すると、フォトマスクのCADデータは、元のウエハ用パターンデータ（CADデータ）を４倍化することにより得られる。このようなデータの倍率変更とそれに伴うパターンデータの位置変更は、アフィン変換等によって簡単に実行することができる。ここでは以下に、フォトマスクのCADデータを、単に、「CADデータ」と称する。
【００２７】
フォトマスクパターンは、ウエハのパターンと同様に、OPC処理されることがある。この場合、フォトマスクのCADデータは、OPC処理したウエハ用パターンデータ（CADデータ）を４倍化することにより得られる。こうして得られたOPC処理されたフォトマスクのCADデータを、単に、「OPC処理CADデータ」と称する。
【００２８】
本発明によると、フォトリソグラフィによって形成されたフォトマスクパターンの走査像より、フォトマスクパターンの幅寸法を測定する。フォトマスクパターンの幅寸法を測定するとき、測定領域を設定する必要がある。本発明によると、測定領域を設定するとき、フォトマスクの基準パターンを用いる。以下に説明するが、フォトマスクの基準パターンは、「CADデータ」又は「OPC処理CADデータ」である。
【００２９】
図２を参照して、本発明によるパターンの測定方法の概略を説明する。試料は、フォトマスクである。先ず、フォトマスク上の測定点に対応したCADデータを入手し、測定条件等を設定する。次に、走査電子顕微鏡によって測定点の計測を行うためのレシピを作成する。次に、レシピに従って、マスク上の測定点の走査画像を取得する。次に、この画像をCADデータと比較し、測定領域を設定する。更に、測定領域内の輪郭線を用いて、パターンの幅寸法を測定し、その評価を行う。これらの一連の処理において、測定点を合わせるため、アドレッシングと呼ばれる位置合わせ、電子ビームの焦点をパターン上に合わせるためのフォーカスなどの動作が必要である。これらの処理は、例えば、特開２００６-２３４５８８号公報に記載された方法を用いて行ってよい。
【００３０】
測定領域は、与えられた測定点を含むように設定する。本発明によるパターンの測定方法では、測定領域において、パターンの角部の丸みを避けて測定する。これについては以下に詳細に説明する。
【００３１】
図３は、走査電子顕微鏡を使用して得られたフォトマスクパターン３０の走査像の例を示す。倍率７０,０００倍である。画像表示装置の画像表示領域は１３０mm角である。従って、この走査像は、約１.８６mm（ミクロンメータ）角の範囲の像を示す。以下に、走査像において、水平方向がX方向であり、垂直方向がY方向である。
【００３２】
フォトマスクパターン３０では、角部に丸みができる。この丸みは、マスク製造工程における描画、レジスト、エッチング等の製造プロセスに起因する。そのため、フォトマスクのCADデータと同一のパターンを得ることは不可能である。
【００３３】
図４は、図３のフォトマスクパターンを生成するために用いるフォトマスクのCADデータ４０を示す。中央の丸印は、測定点４１を示す。測定点４１は、予め、CADデータ内に与えられている。CADデータは、GDSII、OASIS等のフォーマットにより作成される。これらのフォーマットでは、パターンは基本的に多角形の点列として定義される。この点列を直線で結んで、パターンの形状が確定する。以下に、CADデータは、GDSIIフォーマットによって作成されているものとする。
【００３４】
通常、フォトマスクのパターンは矩形を基本とする。矩形を重ね合わせることにより、フォトマスクのパターンが形成されている。パターンの重なり部分を除去することにより、パターンの外形線が得られる。パターンの重なり部分を除去する処理は容易であり、当業者により既知であるため、その説明は省略する。
【００３５】
図５及び図６を参照して、従来のパターン測定方法を説明する。ここでは、CADデータを基準データとし、パターンの幅寸法を測定する例を説明する。図５は、フォトマスクのCADデータ５０を示す。図示のように、測定領域５２ａ、５２ｂが設定されている。この測定領域５２ａ、５２ｂは、一般に、カーソルボックスと呼ばれる。本例では、測定領域５２ａ、５２ｂのＹ方向の寸法は、約６００nmである。
【００３６】
通常、測定領域５２ａ、５２ｂは、CADデータに追加情報として予め入力されている。従って、測定点５１及び測定領域５２ａ、５２ｂは、自動的に、表示される。しかしながら、作業者が走査像を見ながら、測定点５１に基づいて測定領域５２ａ、５２ｂを設定してもよい。本例では、２つの測定領域５２ａ、５２ｂが設定されている。即ち、パターンの左右の外形線の各々に、測定領域５２ａ、５２ｂが設定されている。しかしながら、パターンの左右の外形線を含む１つの測定領域を設定してもよい。
【００３７】
図６は、図３のフォトマスクパターン３０の走査像上に図５のフォトマスクのCADデータ５０を重ねて表示したものである。パターンの幅寸法は、一方の測定領域６２ａに含まれるパターンの輪郭線と他方の測定領域６２ｂに含まれるパターンの輪郭線の間の距離を測定することにより得られる。左側の測定領域５２ａでは、パターンの輪郭線は直線である。右側の測定領域６２ｂには、パターンの角部の丸みが含まれる。従って、右側の測定領域６２ｂでは、パターンの輪郭線は、上方にて湾曲している。本例では、このパターンの幅寸法の設計値は、５００nmである。２つの測定領域６２ａ、６２ｂについて、パターンの幅寸法を測定すると、例えば、５０６nmであった。このときパターンの幅寸法の許容値はプラスマイナス４nmであったと仮定すると、このパターンは不良であり、仕様外と判定される。
【００３８】
パターンの幅寸法の測定とは、実際に形成されたフォトマスクパターンの寸法とフォトマスクのCADデータの間の定量的な比較評価である。従って、測定領域に、角部の丸みを含んだ部分が含まれると、正しい測定は得られない。そこで、パターンの角部を検出し、その角部から一定の範囲を除いて、測定領域を設定すればよい。
【００３９】
図７及び図８を参照して、本発明のパターン測定方法の第１の例を説明する。図７は、図６と同様に、図３のフォトマスクパターン３０の走査像上に図５のフォトマスクのCADデータ５０を重ねて表示したものである。但し、本例では、測定領域７２ａ、７２ｂのＹ方向の寸法は、約３００nmである。即ち、本例の測定領域７２ａ、７２ｂのＹ方向の寸法は、図６に示した測定領域６２ａ、６２ｂのＹ方向の寸法の半分である。尚、本例の測定領域７２ａ、７２ｂのＸ方向の寸法は、図６に示した測定領域６２ａ、６２ｂのＸ方向の寸法と同一であってよい。こうして、本例では、測定領域７２ａ、７２ｂのＹ方向の寸法を小さくすることによって、右側の測定領域７２ｂには、パターンの角部の丸みが含まれることはない。即ち、左右の測定領域７２ａ、７２ｂでは、パターンの輪郭線は略直線である。従って、パターンの幅寸法を正確に測定することができる。本例では、パターンの幅寸法を測定すると、例えば、５０３nmであった。このパターンは正常であり、仕様内と判定される。
【００４０】
図８を参照して本発明によるパターン測定方法の第１の例のうち、特に、測定領域を設定する処理を説明する。尚、理解を容易にするため、処理の右側又は左側に、測定対象のフォトマスクのパターンを示す。ステップＳ１０１にて、所定の条件を設定する。ここで設定する条件は、フォトマスクのCADデータ、測定点、測定方向がX方向であること、パターンの幅寸法が５００nmであること、等である。
【００４１】
ステップＳ１０２にて、フォトマスクのCADデータを用いて、測定対象のパターンの線分を決定する。先ず、測定点から正負のX方向に２５０nmだけ離れた２点を算出する。次に、この２点をそれぞれ含む外形線を決定する。２点を含む外形線が存在しない場合には、２つの点から、それぞれ最も近い外形線を決定する。これが、測定対象のパターンの線分データとなる。図５に示したように、この線分は、多角形の外形線のうち、Ｙ軸方向に沿って延びる直線である。また、パターンは左右対称であるとは限らないため、左右の線分の長さは必ずしも同一ではない。以下では、左右の線分の長さが異なるとして説明する。
【００４２】
上述のように、フォトマスクのパターンデータは、点列からなる多角形であるため、２つの点、及び、外形線がどの点列にあるか判定することは容易である。ただし、複数のパターンが近接している場合には、判定する線分が増加するため判定に時間を要する。しかしながら、測定点は既知であるため、その付近のパターンの外形線のみを検索すればよい。測定点から、２点を求め、この２点から最も近いパターンの２つの線分を決定するのは容易である。
【００４３】
ステップＳ１０３にて、２つの線分の端点から一定の長さの線分を削除する。削除する長さは、予め決められており、例えば、ステップＳ１０１にて設定してよい。こうして、２つの線分から、それぞれ同一の長さを除去すると、２つの線分の長さは短くなるが、２つの線分の長さは異なる。本例では、削除する長さは、１５０nmである。これは２つの線分の端点から、１５０nmの領域では、パターン角部の丸みの影響があると判定している。
【００４４】
ステップＳ１０４にて、測定領域を設定する。２つの線分に対して同一寸法の測定領域を設定する。先ず、左右の線分の長さを比較する。左右の線分の上側の２つの端点の位置を比較し、測定点に近い方の端点を取り出す。同様に、下側の２つの端点の位置を比較し、測定点に近い方の端点を取り出す。次に、こうして取り出した２つの端点を、それぞれ通るＸ方向に延びる線を引く。この２つの線によって、測定領域の上辺及び下辺を形成する。
【００４５】
次に、測定領域の左右の辺を形成する。測定領域のＸ方向の寸法は予め決められている。従って、測定領域の左右の辺は容易に形成される。測定領域のＸ方向の寸法は、例えば、ステップＳ１０１にて、予め設定すればよい。このとき、１つの測定領域に２つの線分が入らないこと、又は、２つの線分が、測定領域より所定の距離だけ離れていることを確認すればよい。こうして、２つの線分に対して同一の測定領域が設定される。このような確認の処理は、図８に示したアルゴリズムと同様に行うことが可能である。上述のように、２つの測定領域を設定する代わりに、パターンの左右の外形線を含む１つの測定領域を設定してもよい。
【００４６】
走査電子顕微鏡における走査方法では、X方向に対して、左から右へアドレス信号を増加させ、最大になるとY方向にアドレス信号を１つ増やし、再度X方向を走査する。このため、左右の測定領域のY方向の幅は同一となる必要がある。
【００４７】
ステップＳ１０５にて、決定した測定領域を走査電子顕微鏡内の設計データ管理部１０にて記憶する。
【００４８】
図９〜図１２を参照して本発明によるパターン測定方法の第２の例を説明する。図７及び図８の第１の例では、フォトマスクのCADデータと測定点から測定領域を決定したが、本例では、フォトマスクのCADデータと実際に取得したフォトマスクのパターンの走査像を用いて測定領域を決定する。
【００４９】
図９を参照して説明する。ステップＳ２０１にて、所定の条件を設定する。ここで設定する条件は、フォトマスクのCADデータと測定点である。ステップＳ２０２にて、測定点を含む領域にて、フォトマスクのパターンの走査像を取得する。ステップＳ２０３にて、走査像からフォトマスクのパターンの輪郭線を抽出する。輪郭線は、画像データの強度分布を計算し、計算結果より抽出される。輪郭線抽出処理は、寸法測定のアルゴリズムと同じ方法、基準で実施することができる。この輪郭線は、CADデータと同様に、GDSデータ化すなわち点列化されている。
【００５０】
ステップＳ２０４にて、測定点を含む且つ測定点付近の領域にて、輪郭線とフォトマスクのCADデータを比較する。先ず、図８のステップＳ１０２における、測定対象のパターンの線分を決定する方法と同様の方法によって、CADパターンの２つの線分を決定する。この２つの線分とこの２つの線分に最も近い輪郭線の差分を計算する。輪郭線とフォトマスクのCADデータは、共にGDSデータの点列である。従って、差分はGDSデータとして得られる。
【００５１】
ステップＳ２０５にて、測定領域を設定する。輪郭線のうち、差分が大きい、又は、差分値の変化が大きい領域は、角部の丸みとなる部分であると判定することができる。例えば、差分値又は差分値の変化量が、予め設定した閾値を超えている領域は、角部の丸みであると判定する。こうして、角部の丸みであると判定された領域を、CADパターンの２つの線分から削除する。次に、この２つの線分より、測定領域を設定する。測定領域を設定する方法の例は、以下に図１０及び図１１を参照して説明する。上述のように、左右同一の測定領域を設定する。
【００５２】
ステップＳ２０６にて、測定領域にて、フォトマスクのパターンの走査像より、測定対象のパターン幅の寸法を測定する。ステップＳ２０７にて、測定結果を保存する。
【００５３】
図１０はパターンの右側の輪郭線におけるこの差分の計算結果を示す。尚、（差分）＝（輪郭線GDSのデータの点列）−（CADデータの点列）、である。縦軸は、差分（ｎｍ）、横軸はY方向（画像縦方向）の位置であり、測定点を０とする。本例によると、Ｙ方向の位置が、+１００付近より大きくなると、差分値が増加している。これは、角の丸みの影響を示す。
【００５４】
図１１は、図１０の差分のデータより差分値の変動を計算した結果を示す。図１０の差分データにおいて、隣接する差分値の間の変化量を変動量とした。本例では、閾値を±３.５nmとした。本例によると、Ｙ方向の位置が、+１００付近より大きくなると変動量が、閾値を超える。図１０及び図１１の結果より、Y方向（画像縦方向）で-１３０から＋１００nmまでを測定領域と設定できる。
【００５５】
図１２は、CADデータと実際に取得したフォトマスクのパターンの走査像を重ねて表示したものである。測定領域１２２ａ、１２２ｂは、本発明のパターン測定方法の第２の例によって設定したものである。図７に示した測定領域７２ａ、７２ｂと比較して、本例の測定領域１２２ａ、１２２ｂは、測定点１２１から上側（＋Y方向）の領域が小さくなっている。即ち、測定点１２１から上辺までの距離は、下辺までの距離より小さい。これは、測定点１２１から上側の領域では差分値が大きいため、この部分の線分を削除したからである。
【００５６】
本例によると、フォトマスクのCADデータとパターンの走査像から抽出した輪郭線データを使用することにより、複雑なフォトマスクパターンでも、適切な測定範囲を自動的に設定できる。従って、パターン幅の寸法を正確に測定することができる。
【００５７】
本例によると、角部の丸みとなる部分は、フォトマスクのCADデータの線分と画像パターンから抽出した輪郭線が大きく離れている、又は、両者の差分値の変化が大きい。従って、フォトマスクのCADデータの線分と走査像から抽出した輪郭線の間の差分が、予め設定した閾値を超える領域を、測定領域から除去することにより、角部の丸みの影響を除去することができる。
【００５８】
上述の例において、フォトマスクのパターンはOPC処理されたものであってもよく、OPC処理されていないものであってもよい。OPC処理されたものである場合、フォトマスクのCADデータは、OPC処理されたCADデータを用いる。
【００５９】
図７及び図８の第１の例、及び、図９〜図１２の第２の例では、走査像から実際に形成されたフォトマスクのパターンの幅寸法を測定した。以下に説明する本発明によるパターン測定方法の第３の例では、OPC処理されたフォトマスクのパターンの幅寸法を測定する。一般にOPC技術により変更されフォトマスクのパターンをOPCパターンと呼び、マスク製造工程ではこのOPCパターンの寸法を測定する場合が多い。ウエハ上のパターンが正確であるか否かを判定するには、OPC処理されたフォトマスクのCADデータを検査する必要がある。本例では、OPC処理されたフォトマスクのCADデータは、元のウエハ用パターンデータ（CADデータ）を４倍化することにより得られる。ここでは以下に、OPC処理されたフォトマスクのCADデータを、単に、「OPC処理されたCADデータ」と称する。
【００６０】
図１３参照して、本発明によるパターン測定方法の第３の例を説明する。図１３は、OPC処理されたフォトマスクのパターン１３６の上に、OPC処理されていないフォトマスクのパターン１３５を重ねて表示したものである。両者とも、CADデータである。OPC処理されたフォトマスクのCADデータは、OPC処理された元のウエハ用パターンのCADデータを４倍化することによって得られる。OPC処理されていないフォトマスクのCADデータは、OPC処理されていない元のウエハ用パターンのCADデータを４倍化することによって得られる。
【００６１】
本例では、OPC処理されていない元のウエハ用パターンの幅寸法は、４５nmであり、破線にて示すOPC処理されていないフォトマスクのパターン１３５の幅寸法は、４５×４＝１８０nmである。OPC処理されていないフォトマスクのパターン１３５は、幅寸法が一定の矩形であるが、OPC処理されたフォトマスクのパターン１３６は、幅寸法が階段状に変化する多角形である。即ち、OPC処理されたフォトマスクのパターン１３６は、幅寸法が両端に近づくにつれて大きくなる。このように、パターンの幅寸法を変化させることを、光近接効果補正（OPC）と言う。
【００６２】
ここで、光近接効果及び光近接効果補正（OPC）について簡単に説明する。パターンの幅寸法が微細化すると、フォトマスクのパターン（CADデータ）と同一のパターンを得ることが困難になる。例えば、OPC処理されていないフォトマスクのパターン１３５を用いて、フォトリソグラフィ技術によってパターンを形成すると、パターン１３５と同一形状のパターンは得られない。実際に得られるパターンは、角部が丸まった且つ先端では幅寸法が狭くなった形状となる。これは、光近接効果による。光近接効果による影響は、パターンの先端部分にて大きい。そこで、OPC処理されたフォトマスクのパターン１３６を用いることによって、角部が尖ったパターン１３５と略同様な形状のパターンが得られる。
【００６３】
測定点１３１付近では、OPC処理されたフォトマスクのパターン１３６の幅寸法は、OPC処理されていないフォトマスクのパターン１３５の幅寸法と同一である。これは、パターンの中央部分では、光近接効果による影響が少ないためである。
【００６４】
OPC処理されたフォトマスクのパターン１３６の形状は、OPC処理されていない元のウエハ用パターンの形状に依存する。本例のように、OPC処理されていない元のウエハ用パターンが左右対称の形状の場合、OPC処理されたフォトマスクのパターン１３６の形状は左右対称となる。
【００６５】
図１３には、基準寸法Ｌｘが設定されている。基準寸法Ｌｘは、測定領域を設定することが可能な範囲を示す。基準寸法Ｌｘは、OPC処理されていないフォトマスクのパターン１３５に基づいて設定される。OPC処理されたフォトマスクのパターン１３６を用いてフォトリソグラフィ技術によってパターンを形成すると、OPC処理されていないフォトマスクのパターン１３５と略同一形状のパターンが得られるが、実際には、その先端部は僅かに丸みを帯びる。そこで、測定領域を設定する領域として、先端部を除去する。従って、本例では、基準寸法ＬｘはOPC処理されていないフォトマスクのパターン１３５のＸ方向の寸法より僅かに小さい値に設定されている。
【００６６】
図１４は、OPC処理されたフォトマスクのパターン１３６の上に測定領域１４２ａ、１４２ｂを設定した状態を示す。測定領域１４２ａ、１４２ｂは、基準寸法Ｌｘの範囲に設定する。本例では、OPC処理されたフォトマスクのパターン１３６のうち、幅寸法が異なる線分毎に、測定領域１４２ａ、１４２ｂを設定する。左右の測定領域１４２ａ、１４２ｂは同一寸法且つ同一形状である。
【００６７】
OPC処理されたフォトマスクのパターン１３６に測定領域１４２ａ、１４２ｂを設定する処理は、上述の第１の例又は第２の例と同様である。即ち、OPC処理されたフォトマスクのパターン１３６の外形線のうち、角部の影響を受けないように、所定の長さの線分を削除する。こうして得られた線分上に測定領域を設定する。
【００６８】
こうして、本例では、複数の測定領域にて、OPC処理されたフォトマスクのパターン１３６の幅寸法を測定する。そのため、本例では、OPC処理されたフォトマスクのパターン１３６の良否を正確に判定することができる。
【００６９】
尚、図１４には示していないが、更に、実際に形成されたウエハのパターンの走査像を、重ねて表示してよい。それによって、実際に形成されたウエハのパターンとOPC処理されていないフォトマスクのパターン１３５を比較することができる。両者が一致している領域では、OPC処理されたフォトマスクのパターン１３６の幅寸法が適切であると判定することができる。
【００７０】
上述の第１、第２、及び、第３の例では、２つの測定領域を設定した。しかしながら、１つの横に長い測定領域を設定してもよい。
【００７１】
本例では、測定点を指定するだけで、OPC処理されたフォトマスクのパターンに測定領域を自動的に設定することができる。そのため、OPC処理されたフォトマスクのパターンの幅寸法の評価が容易となる。また、本例の方法によると、走査電子顕微鏡にて、測定点を設定し、走査像を取得すれば、その後は、測定領域の設定、測定領域における寸法測定はオフラインで実行可能である。そのため、走査電子顕微鏡装置の占有時間短縮が図られ、結果的にスループット向上が可能となる。
【００７２】
本発明によると、パターンの角部の影響を除去してパターンの寸法の自動測定が可能となる。また、複雑な形状のOPCパターンでも、定量的なパターンの寸法評価が可能となる。さらに、ウエハ用パターンのCADデータを、フォトマスクのOPCパターンの寸法測定時の基準データとして使用する。それによって、ウエハ用のパターンとフォトマスクのOPCパターンを比較することが可能となる。そのため、フォトマスクのOPCパターンにおけるパターンの評価の確度が向上する。更に、ウエハのパターンの寸法の異常時にも、フォトマスクのOPCパターンとの相関が定量的に判断できる。
【００７３】
さらに、本発明の測定方法によると、CADデータを用いて測定範囲を設定する。そのため、走査電子顕微鏡等の測定器では、測定点に基づいて、画像を取得すればよい。そして、この画像を、測定器、又は、別な評価装置に送り、そこで、CADデータを使用して測定範囲を設定し、パターンの寸法を測定する。このため、測定器において、測定領域の設定を行う必要がなく、測定時間の短縮化が可能となる。更に、処理時間の向上も期待できる。また、一度取得した画像の再評価も容易であるため、総合的に処理時間の短縮が実現できる。
【００７４】
以上本発明の例を説明したが本発明は上述の例に限定されるものではなく、特許請求の範囲に記載された発明の範囲にて様々な変更が可能であることは当業者によって容易に理解されよう。
【符号の説明】
【００７５】
１…電子源（電子銃）、２…電子ビーム、３…レンズ系、４…試料、５…２次電子、６…
２次電子検出系、７…制御系、８…Ｘ−Ｙ−Ｚステージ、９…画像表示装置、１０…設計
データ管理部
【図１】
0005221750.tif 000002
【図２】
0005221750.tif 000003
【図３】
0005221750.tif 000004
【図４】
0005221750.tif 000005
【図５】
0005221750.tif 000006
【図６】
0005221750.tif 000007
【図７】
0005221750.tif 000008
【図８】
0005221750.tif 000009
【図９】
0005221750.tif 000010
【図１０】
0005221750.tif 000011
【図１１】
0005221750.tif 000012
【図１２】
0005221750.tif 000013
【図１３】
0005221750.tif 000014
【図１４】
0005221750.tif 000015